(57)【要約】【課題】各第１支柱５Ａ（５Ｂ）と各第２支柱７Ａ（７Ｂ）に大きな曲げモーメントが生じることをなくす。【解決手段】一方の第１支柱５Ａの上部と他方の第１支柱５Ｂの上部の間に架設された第１アンカー材９と、一方の第２支柱７Ａの上部と他方の第２支柱７Ｂの上部の間に架設された第２アンカー材１３と、両端部が第１アンカー材９の両端部にそれぞれ連結された第１メインケーブル１９と、両端部が第２アンカー材１３にそれぞれ連結された第２メインケーブル２１と、第１メインケーブル１９と第２メインケーブル２１の間に吊すように設けられた橋床２３とを具備する。【選択図】      図１
2004232297.tif 000002
【特許請求の範囲】
【請求項１】
固定部にそれぞれ立設され、水平な橋軸方向に所定の径間を有した一対の第１支柱と、
前記固定部にそれぞれ立設され、前記橋軸方向に前記所定の径間を有し、対応する前記第１支柱に対して橋幅方向にそれぞれ対向した一対の第２支柱と、
一方の前記第１支柱の上部と他方の前記第１支柱の上部の間に架設され、両端部のうち少なくともいずれかの端部が前記固定部に対して前記橋軸方向へ僅かに移動可能に構成された第１アンカー材と、
一方の前記第２支柱の上部と他方の前記第２支柱の上部の間に架設され、両端部のうち少なくともいずれかの端部が前記固定部に対して前記橋軸方向へ僅かに移動可能に構成された第２アンカー材と、
一端部が前記第１アンカー材の一端部に連結され、他端部が前記第１アンカー材の他端部に連結され、凹状に垂れ下がった第１メインケーブルと、
一端部が前記第２アンカー材の一端部に連結され、他端部が前記第２アンカー材の他端部に連結され、凹状に垂れ下がった第２メインケーブルと、
前記第１メインケーブルと前記第２メインケーブルの間に吊すように設けられ、歩行者又は車両が通行可能な橋床と、
を具備してなることを特徴とする単径間吊り橋。
【請求項２】
前記第１アンカー材及び前記第２アンカー材は、それぞれ、前記橋軸方向へ直線状に延びるように構成されたことを特徴とする請求項１に記載の単径間吊り橋。
【発明の詳細な説明】
【０００１】
【発明の属する技術分野】
本発明は、１つの径間のみを有する単径間吊り橋に関する。
【０００２】
【従来の技術】
一般的な単径間吊り橋について簡単に説明すると、次のようになる。
【０００３】
地盤等の固定部には一対の第１支柱がそれぞれ立設されており、一対の前記第１支柱は水平な橋軸方向に所定の径間を有している。同様に、前記固定部には一対の第２支柱がそれぞれ立設されており、一対の前記第２支柱は前記橋軸方向に前記所定の径間を有している。ここで、一方の前記第２支柱は一方の前記第１支柱に対して橋幅方向に対向してあって、他方の前記第２支柱は他方の前記第１支柱に前記橋幅方向に対向してある。
【０００４】
一方の前記第１支柱の上部と他方の前記第１支柱の上部には凹状に垂れ下がった第１メインケーブルが設けられており、同様に、一方の前記第２支柱の上部と他方の前記第２支柱の上部には凹状に垂れ下がった第２メインケーブルが設けられている。そして、前記第１メインケーブルと前記第２メインケーブルの間には歩行者又は車両が通行可能な橋床が吊すように設けられている。
【０００５】
ここで、前記第１メインケーブルの両端部及び前記第２メインケーブルの両端部の定着の態様には二つの態様がある。
【０００６】
即ち、第１の態様としては、前記第１メインケーブルの一端部が一方の前記第１支柱の上部に定着されると共に、前記第１メインケーブルの他端部が他方の前記第１支柱の上部に定着される。同様に、前記第２メインケーブルの一端部が一方の前記第２支柱の上部に定着されると共に、前記第２メインケーブルの他端部が他方の前記第２支柱の上部に定着される。
【０００７】
第２の態様としては、予め、前記固定部における一対の前記第１支柱の両側付近に第１アンカーレッジをそれぞれ設置しておくと共に、前記固定部における一対の前記第２支柱の両側付近に第２アンカーレッジをそれぞれ設置しておく。そして、前記第１メインケーブルの一端部が一方の前記第１支柱の上部におけるサドルを介して一方の前記第１アンカーレッジに定着されると共に、前記第１メインケーブルの他端部が他方の前記第１支柱の上部におけるサドルを介して他方の前記第１アンカーレッジに定着される。同様に、前記第２メインケーブルの一端部が一方の前記第２支柱の上部におけるサドルを介して一方の前記第２アンカーレッジに定着されると共に、前記第２メインケーブルの他端部が他方の前記第２支柱の上部におけるサドルを介して他方の前記第２アンカーレッジに定着される。
【０００８】
なお、本発明に関連する先行技術として、特許文献１に示すものがある。
【０００９】
【特許文献１】
特開平８−３９２２号公報
【００１０】
【発明が解決しようとする課題】
ところで、前記第１の態様にあっては、各第１支柱の上部はそれぞれ前記第１メインケーブルのケーブル張力の水平反力を受けて、各第１支柱にはそれぞれ大きな曲げモーメントが生じると共に、各第２支柱の上部はそれぞれ前記第２メインケーブルのケーブル張力の水平反力を受けて、各第２支柱にはそれぞれ大きな曲げモーメントが生じる。そのため、各第１支柱及び各第２支柱がそれぞれ大きな曲げモーメントに強度的に耐えうるように、各第１支柱及び各第２支柱の曲げ剛性をそれぞれ大きくすると、各第１支柱及び各第２支柱がそれぞれ大型化すると共に、各第１支柱及び各第２支柱の大型化に伴って前記単径間吊り橋の基礎が大掛かりなものなるという問題がある。
【００１１】
また、前記第２の態様にあっては、各アンカーレッジ（各第１アンカーレッジと各第２アンカーレッジ）がそれぞれメインケーブル（第１メインケーブルと第２メインケーブル）のケーブル張力の水平反力を受けることによって、各支柱にはそれぞれ大きな曲げモーメントは生じないものの、前記固定部における一対の前記第１支柱の両側付近及び一対の前記第２支柱の両側付近にアンカーレッジ（前記第１アンカーレッジ、前記第２アンカーレッジ）の設置のための設置スペースが必要である。そのため、前記単径間吊り橋の占有面積が広くなって、スペースの有効利用を図ることが容易でないという問題がある。
【００１２】
【課題を解決するための手段】
請求項１に記載の発明にあっては、固定部にそれぞれ立設され、水平な橋軸方向に所定の径間を有した一対の第１支柱と、
前記固定部にそれぞれ立設され、前記橋軸方向に前記所定の径間を有し、対応する前記第１支柱に対して橋幅方向にそれぞれ対向した一対の第２支柱と、
一方の前記第１支柱の上部と他方の前記第１支柱の上部の間に架設され、両端部のうち少なくともいずれかの端部が前記固定部に対して前記橋軸方向へ僅かに移動可能に構成された第１アンカー材と、
一方の前記第２支柱の上部と他方の前記第２支柱の上部の間に架設され、両端部のうち少なくともいずれかの端部が前記固定部に対して前記橋軸方向へ僅かに移動可能に構成された第２アンカー材と、
一端部が前記第１アンカー材の一端部に連結され、他端部が前記第１アンカー材の他端部に連結され、凹状に垂れ下がった第１メインケーブルと、
一端部が前記第２アンカー材の一端部に連結され、他端部が前記第２アンカー材の他端部に連結され、凹状に垂れ下がった第２メインケーブルと、
前記第１メインケーブルと前記第２メインケーブルの間に吊すように設けられ、歩行者又は車両が通行可能な橋床と、
を具備してなることを特徴とする。
【００１３】
ここで、「前記いずれかの端部が前記固定部に対して前記橋軸方向へ僅かに移動」とは、前記いずれかの端部が前記第１支柱（又は前記第２支柱）の上部に対して前記橋軸方向へ僅かに移動することによって前記固定部に対して僅かに前記橋軸方向へ移動する他に、前記第１支柱（又は前記第２支柱）の上部が前記固定部に対して前記橋軸方向へ僅かに傾動することによって前記いずれかの端部が前記固定部に対して前記橋軸方向へ僅かに移動することを含む。
【００１４】
請求項１に記載の発明特定事項によると、前記第１メインケーブルの一端部が前記第１アンカー材の一端部に連結されかつ前記第１メインケーブルの他端部が前記第１アンカー材の他端部に連結されてあって、前記第１アンカー材のいずれかの端部が前記固定部に対して前記橋軸方向へ僅かに移動可能に構成されているため、前記第１メインケーブルの端部を定着するアンカーレッジを用いることなく、前記第１メインケーブルのケーブル張力の水平反力が前記第１アンカー材の圧縮力に変換され、各第１支柱に大きな曲げモーメントが生じることがなくなる。
【００１５】
同様に、前記第２メインケーブルの一端部が前記第２アンカー材の一端部に連結されかつ前記第２メインケーブルの他端部が前記第２アンカー材の他端部に連結されてあって、前記第２アンカー材のいずれかの端部が前記固定部に対して前記橋軸方向へ僅かに移動可能に構成されているため、前記第２メインケーブルの端部を定着するアンカーレッジを用いることなく、前記第２メインケーブルのケーブル張力の水平反力が前記第２アンカー材の圧縮力に変換され、各第２支柱に大きな曲げモーメントが生じることがなくなる。
【００１６】
請求項２に記載の発明にあっては、請求項１に記載の発明特定事項の他に、前記第１アンカー材及び前記第２アンカー材は、それぞれ、前記橋軸方向へ直線状に延びるように構成されたことを特徴とする。
【００１７】
請求項２に記載の発明特定事項によると、請求項１に記載の発明特定事項による作用の他に、前記第１アンカー材及び前記第２アンカー材は、それぞれ、前記橋軸方向へ直線状に延びるように構成されているため、前記第１メインケーブルのケーブル張力の水平反力が前記第１アンカー材の軸圧縮力のみに変換されると共に、前記第２メインケーブルのケーブル張力の水平反力が前記第２アンカー材の軸圧縮力のみに変換される。
【００１８】
【発明の実施の形態】
本発明の実施の形態について図１から図４を参照して説明する。
【００１９】
図１は、本発明の実施の形態に係わる単径間吊り橋の側面図であって、図２は、本発明の実施の形態に係わる単径間吊り橋の平面図であって、図３は、図２におけるＩ−Ｉ線に沿った図であって、図４は、図２におけるＩＩ−ＩＩ線に沿った図である。ここで、「前後」とは、図１及び図２において左右，図３及び図４において紙面に向かって表裏のことであって、「左右」とは、図１において紙面に向かって裏表，図２において上下，図３及び図４において左右のことであって、「上下」とは、図１，図３，図４において上下，図２において紙面に向かって表裏のことである。
【００２０】
本発明の実施の形態に係わる単径間吊り橋１は、１つの径間のみを有した吊り橋あって、単径間吊り橋１の具体的な構成は、以下のようなる。
【００２１】
即ち、地盤等の固定部３には一対の第１支柱５Ａ，５Ｂが基礎Ｆを介してそれぞれ立設されており、一対の第１支柱５Ａ，５Ｂは水平な橋軸方向（本発明の実施の形態にあっては前後方向）へ所定の径間を有している。同様に、固定部３には一対の第２支柱７Ａ，７Ｂが基礎Ｆを介してそれぞれ立設されており、一対の第２支柱７Ａ，７Ｂは前記橋軸方向へ前記所定の径間を有している。ここで、一方（前寄り）の第２支柱７Ａは一方（前寄り）の第１支柱５Ａに対して橋幅方向（本発明の実施の形態にあっては左右方向）に対向してあって、他方（後寄り）の第２支柱７Ｂは他方（後寄り）の第１支柱５Ｂに前記橋幅方向に対向してある。
【００２２】
一方の第１支柱５Ａの上部と他方の第１支柱５Ｂの上部には第１アンカー材９が架設されており、第１アンカー材９は前後方向へ直線状に延びるように構成されている。また、第１アンカー材９の一端部（前端部）はフロントゴム支承１１Ａを介して一方の第１支柱５Ａの上部、換言すれば固定部３に対して前後方向へ僅かに移動可能に構成されてあって、同様に、第１アンカー材９の他端部（後端部）はリアゴム支承１１Ｂを介して他方の第１支柱５Ｂの上部、換言すれば固定部３に対して前後方向へ僅かに移動可能に構成されている。なお、第１アンカー材の第１アンカー材９の両端部は、ゴム支承１１Ａ，１１Ｂを介して前後方向へ僅かに移動可能に構成される代わりに、一対の第１支柱５Ａ，５Ｂの前後方向へ僅かな傾動によって固定部３に対して前後方向へ僅かに移動可能に構成されるようにしてもよく、また、第１アンカー材９の両端部（前端部及び後端部）の代わりに、第１アンカー材９のいずれかの端部（前端部或いは後端部）が固定部３に対して前後方向へ僅かに移動可能に構成されるようにしてもよい。
【００２３】
同様に、一方の第２支柱７Ａの上部と他方の第２支柱７Ｂの上部には第２アンカー材１３が架設されており、第２アンカー材１３は前後方向へ直線状に延びるように構成されてあって、第１アンカー材９と第２アンカー材１３は複数の連結部材１７によって連結されている。また、第２アンカー材１３の一端部（前端部）はフロントゴム支承１５Ａを介して一方の第２支柱７Ａの上部、換言すれば固定部３に対して前後方向へ僅かに移動可能に構成されてあって、同様に、第２アンカー材１３の他端部（後端部）はリアゴム支承１５Ｂを介して他方の第２支柱７Ｂの上部、換言すれば固定部３に対して前後方向へ僅かに移動可能に構成されている。なお、第２アンカー材１３の両端部は、ゴム支承１５Ａ，１５Ｂを介して前後方向へ僅かに移動可能に構成される代わりに、一対の第２支柱７Ａ，７Ｂの前後方向へ僅かな傾動によって固定部３に対して前後方向へ僅かに移動可能に構成されるようにしてもよく、また、第２アンカー材１３の両端部（前端部及び後端部）の代わりに、第２アンカー材１３のいずれかの端部（前端部或いは後端部）が固定部３に対して前後方向へ僅かに移動可能に構成されるようにしてもよい。
【００２４】
第１アンカー材９の一端部には凹状に垂れ下がった第１メインケーブル１９の一端部（前端部）が連結されており、この第１メインケーブル１９の他端部（後端部）は第１アンカー材９の他端部に連結されている。同様に、第２アンカー材１３の一端部には凹状に垂れ下がった第２メインケーブル２１の一端部（前端部）が連結されており、この第２メインケーブル２１の他端部（後端部）は第２アンカー材１３の他端部に連結されている。
【００２５】
そして、第１メインケーブル１９と第２メインケーブル２１の間には歩行者又は車両が通行可能な橋床が複数の吊りロープを介して吊すように設けられている。
【００２６】
次に、本発明の実施の形態の作用について説明する。
【００２７】
第１メインケーブル１９の一端部が第１アンカー材９の一端部に連結されかつ第１メインケーブル１９の他端部が第１アンカー材９の他端部に連結されてあって、第１アンカー材９の両端部が固定部３に対して前後方向へ僅かに移動可能に構成されているため、第１メインケーブル１９の端部を定着するアンカーレッジを用いることなく、第１メインケーブル１９のケーブル張力の水平反力が第１アンカー材９の軸圧縮力に変換され、各第１支柱５Ａ（５Ｂ）に大きな曲げモーメントが生じることがなくなる。
【００２８】
同様に、第２メインケーブル２１の一端部が第２アンカー材１３の一端部に連結されかつ第２メインケーブル２１の他端部が第２アンカー材１３の他端部に連結されてあって、第２アンカー材１３の両端部が固定部３に対して前後方向へ僅かに移動可能に構成されているため、第２メインケーブル２１を定着するアンカーレッジを用いることなく、第２メインケーブル２１のケーブル張力の水平反力が第２アンカー材１３の軸圧縮力に変換され、各第２支柱７Ａ（７Ｂ）に大きな曲げモーメントが生じることがなくなる。
【００２９】
以上の如き、本発明の実施の形態によれば、各メインケーブル（第１メインケーブル１９と第２メインケーブル２１）の端部を定着するアンカーレッジを用いることなく、第１支柱５Ａ（５Ｂ）と各第２支柱７Ａ（７Ｂ）に大きな曲げモーメントが生じることがなくなるため、単径間吊り橋１の占有面積が広くなることを十分に抑制してスペースの有効利用を図りつつ、各第１支柱５Ａ（５Ｂ）及び各第２支柱７Ａ（７Ｂ）各支柱の曲げ剛性を小さくして、各第１支柱５Ａ（５Ｂ）及び各第２支柱７Ａ（７Ｂ）の小型化をそれぞれ促進できると共に、各第１支柱５Ａ（５Ｂ）及び各第２支柱７Ａ（７Ｂ）の小型化に伴って単径間吊り橋１の基礎Ｆの簡易化を図ることができる。
【００３０】
なお、本発明は、前述の発明の実施の形態の説明に限るものではなく、適宜の変更を行うことにより、その他種々の態様で実施可能である。
【００３１】
【発明の効果】
請求項１又は請求項２に記載の発明によれば、各メインケーブル（前記第１メインケーブルと前記第２メインケーブル）の端部を定着するアンカーレッジを用いることなく、各第１支柱及び各第２支柱に大きな曲げモーメントが生じることがなくなるため、前記単径間吊り橋の占有面積が広くなることを十分に抑制してスペースの有効利用を図りつつ、第１支柱及び各第２支柱の曲げ剛性を小さくして、各第１支柱及び各第２支柱の小型化をそれぞれ促進できると共に、各第１支柱及び各第２支柱の小型化に伴って前記単径間吊り橋の基礎の簡易化を図ることができる。
【図面の簡単な説明】
【図１】本発明の実施の形態に係わる単径間吊り橋の側面図である。
【図２】本発明の実施の形態に係わる単径間吊り橋の平面図である。
【図３】図２におけるＩ−Ｉ線に沿った図である。
【図４】図２におけるＩＩ−ＩＩ線に沿った図である。
【符号の説明】
１          単径間吊り橋
３          固定部
５Ａ，５Ｂ  第１支柱
７Ａ，７Ｂ  第２支柱
９          第１アンカー材
１３        第２アンカー材
１９        第１メインケーブル
２１        第２メインケーブル
２３        橋床
【図１】
2004232297.tif 000003
【図２】
2004232297.tif 000004
【図３】
2004232297.tif 000005
【図４】
2004232297.tif 000006